(57)【要約】【課題】医療／臨床目的に好適で、病院および／または小さな臨床設定などの既存の医療施設での使用に適した、単色放射Ｘ線を発生させるための、比較的低コストで、比較的占有面積の少ないＸ線装置が提供される。【解決手段】一部の態様によれば、画像化および／または放射線治療のためのＸ線装置が提供され、このＸ線装置は、電子を発生させることが可能な電子源と、電子源からの電子を受け取るように配置構成され、電子を照射されることに反応して広域スペクトル放射Ｘ線を放出する材料を含む、少なくとも１つの第１ターゲットと、この広域スペクトル放射Ｘ線の少なくとも一部を受け取るように配置構成され、第１ターゲットからの広域スペクトル放射Ｘ線による照射に反応して、単色放射Ｘ線を放出する材料を含む、少なくとも１つの第２ターゲットと、この少なくとも１つの第２ターゲットから放出される単色放射Ｘ線の少なくとも一部を検出するように配置される、少なくとも１つの検出器とを含む。【選択図】図９
2016000313.tif 000002
【特許請求の範囲】
【請求項１】
第１ターゲットを含むＸ線管から、広域スペクトル放射Ｘ線を発生させることであって、前記第１ターゲットが、電子を照射されることに反応して前記広域スペクトル放射Ｘ線を放出することと、
前記広域スペクトル放射Ｘ線の少なくとも一部を、単一の空間的にコンパクトな領域における第２ターゲットに照射するように方向付けることであって、前記第２ターゲットが、前記照射に反応して前記単一の空間的にコンパクトな領域から単色放射Ｘ線を放出する材料を含むことと、
前記単色放射Ｘ線の少なくとも一部を、関心対象に照射するように方向付けることと、
関心対象を通じて送信された前記単色放射Ｘ線の少なくとも一部を検出することと、
前記検出された単色放射Ｘ線に少なくとも部分的に基づいて、少なくとも１つの画像を生成することと含む方法。
【請求項２】
前記第２ターゲットは、前記広域スペクトル放射Ｘ線の少なくとも一部を吸収し、それに反応して、蛍光を介して前記単色放射Ｘ線を放出する請求項１に記載の方法。
【請求項３】
前記単色放射Ｘ線は、前記関心対象の吸収端を超えて放出される請求項１に記載の方法。
【請求項４】
前記吸収端は、前記関心対象のＫ殻電子、Ｌ殻電子又はＭ殻電子の一つの結合エネルギーにある請求項３に記載の方法。
【請求項５】
前記放出される単色放射Ｘ線が、前記関心対象に関連するＫ端、Ｌ端及び／又はＭ端にあるか又はそれを超えるエネルギーを含むように、前記第２ターゲットが選択される請求項１に記載の方法。
【請求項６】
前記関心対象は組織を含み、前記方法は、前記Ｘ線管の出力レベルを増大させて、前記単色放射Ｘ線を、ある関心領域に相当する前記組織の範囲内の位置に照射するように方向付けることを更に含む請求項１に記載の方法。
【請求項７】
前記Ｘ線管の出力レベルは、前記組織の少なくとも一部を破壊するために十分な量増大される請求項１に記載の方法。
【請求項８】
前記Ｘ線管が、テーブルトップサイズの構成要素である請求項１に記載の方法。
【請求項９】
前記単一の空間的にコンパクトな領域は、直径が数ミリメートルの小さいスポットからなる請求項１に記載の方法。
【請求項１０】
前記関心対象に照射するために前記単色放射Ｘ線の少なくとも一部を方向付けることは、単一の孔を介して関心対象に照射するために前記単色放射Ｘ線の少なくとも一部を方向付けることを含む請求項１に記載の方法。
【請求項１１】
前記単一の孔は、前記関心対象に照射するように方向付けられた前記単色放射Ｘ線のスポットサイズを低減し、前記少なくとも一つの画像の空間分解能を向上させる請求項１０に記載の方法。
【請求項１２】
前記単一の孔は、前記関心対象に照射するように方向付けられた前記単色放射Ｘ線の前記スポットサイズを低減するため、直径がほぼ０．５ミリメートルである請求項１１に記載の方法。
【請求項１３】
前記単一の孔は、単一のピンホール又はスリットである請求項１０に記載の方法。
【請求項１４】
前記単色放射Ｘ線の少なくとも一部を方向付けることは、単色放射Ｘ線のみが前記関心対象を照射するように前記単色放射Ｘ線の少なくとも一部を方向付けることを含む請求項１に記載の方法。
【請求項１５】
前記単色放射Ｘ線の少なくとも一部を方向付けることは、前記関心対象の周りに複数の異なる視野角で前記関心対象に照射するために前記単色放射Ｘ線の少なくとも一部を方向付けることを含み、少なくとも１つの画像を生成することは、前記複数の異なる視野角からの検出された単色放射Ｘ線に少なくとも部分的に基づいて、少なくとも１つの３次元（３Ｄ）画像を生成することを含む請求項１に記載の方法。
【請求項１６】
前記少なくとも１つの３次元画像は、前記関心対象の部分のコンピュータ断層（ＣＴ）画像である請求項１５に記載の方法。
【請求項１７】
前記第２ターゲットは、第１蛍光ターゲット及び第２蛍光ターゲットを含み、
前記方法は、
前記第１蛍光ターゲットに照射するように少なくとも一部の広域スペクトル放射Ｘ線を方向付けることであって、前記第１蛍光ターゲットが、前記照射に反応して前記関心対象の吸収端を超えるエネルギーで第１単色放射Ｘ線を放出することと、
前記第２蛍光ターゲットに照射するように少なくとも一部の広域スペクトル放射Ｘ線を方向付けることであって、前記第２蛍光ターゲットが、前記照射に反応して前記関心対象の吸収端未満のエネルギーで第２単色放射Ｘ線を放出することと、
前記関心対象に照射するために、前記第１単色放射Ｘ線の少なくとも一部及び前記第２単色放射Ｘ線の少なくとも一部を方向付けることと、
検出された第１単色放射Ｘ線と検出された第２単色放射Ｘ線との間の違いに少なくとも部分的に基づいて、少なくとも１つの画像を生成することとを含む請求項１に記載の方法。
【請求項１８】
前記関心対象は生物学的対象を含み、前記少なくとも１つの第２ターゲットは、前記生物学的対象に投与された造影剤の吸収端を超えるエネルギーレベルで単色放射Ｘ線を放出する請求項３に記載の方法。
【請求項１９】
前記関心対象に造影剤が全く付加されない請求項３に記載の方法。
【請求項２０】
Ｘ線装置であって、
電子を発生させるように構成された電子源と、
前記電子源からの電子を受け取るように構成された少なくとも１つの第１ターゲットであって、前記電子を照射されることに反応して広域スペクトル放射Ｘ線を放出する材料を含む前記少なくとも１つの第１ターゲットと、
前記広域スペクトル放射Ｘ線の少なくとも一部を受け取るように構成された少なくとも１つの第２ターゲットであって、前記第１ターゲットからの広域スペクトル放射Ｘ線による照射に反応して、関心対象に照射するように単色放射Ｘ線を放出する材料を含む前記少なくとも１つの第２ターゲットとを備え、
前記少なくとも１つの第１ターゲットは、前記少なくとも１つの第２ターゲットが前記関心対象に照射するために単一の空間的にコンパクトな領域から単色放射Ｘ線を放出するように、前記単一の空間的にコンパクトな領域における前記少なくとも１つの第２ターゲットに照射するために広域スペクトル放射Ｘ線を放出するように構成され、
前記Ｘ線装置は、
前記関心対象の少なくとも一部の少なくとも１つの画像を少なくとも部分的に形成するため、前記少なくとも１つの第２ターゲットから放出されかつ前記関心対象を通じて送信された前記単色放射Ｘ線の少なくとも一部を検出するように配置された少なくとも１つの検出器を備えるＸ線装置。
【請求項２１】
前記少なくとも１つの第２ターゲットは、前記広域スペクトル放射Ｘ線の少なくとも一部を吸収し、それに反応して、蛍光を介して前記単色放射Ｘ線を放出する請求項２０に記載のＸ線装置。
【請求項２２】
前記少なくとも１つの第２ターゲットは、前記関心対象の吸収端を超えるエネルギーで単色放射Ｘ線を放出する請求項２０に記載のＸ線装置。
【請求項２３】
前記少なくとも１つの第２ターゲットは複数の第２ターゲットを含み、前記複数の第２ターゲット各々は、広域スペクトル放射線による照射に反応して、異なるエネルギーにて単色放射Ｘ線を放出する材料を含む請求項２０に記載のＸ線装置。
【請求項２４】
前記少なくとも１つの第２ターゲットは、第１蛍光ターゲット及び第２蛍光ターゲットを含み、前記第１蛍光ターゲットは、広域スペクトル放射線による照射に反応して、第１関心対象に関連する吸収端を超えるエネルギー準位で単色放射Ｘ線を放出する材料を含み、前記第２蛍光ターゲットは、広域スペクトル放射線による照射に反応して、第２関心対象に関連する吸収端よりを超えるエネルギー準位で単色放射Ｘ線を放出する材料を含む請求項２０に記載のＸ線装置。
【請求項２５】
前記電子源及び前記少なくとも１つの第１ターゲットは、テーブルトップサイズの占有面積を有するＸ線管内に収容される請求項２０に記載のＸ線装置。
【請求項２６】
前記広域単色放射Ｘ線を収集して前記少なくとも１つの第２ターゲットに焦点を合わせるため、前記少なくとも１つの第１ターゲットと前記少なくとも１つの第２ターゲットとの間に配置される少なくとも１つの光学構成要素を更に備える請求項２０に記載のＸ線装置。
【請求項２７】
前記単色放射Ｘ線を収集して集束させるため、前記少なくとも１つの第２ターゲットと前記関心対象との間に配置される少なくとも１つの光学構成要素を更に備える請求項２０に記載のＸ線装置。
【請求項２８】
前記Ｘ線装置が画像化又は放射線治療に使用されているか否かに応じて、前記Ｘ線装置の前記出力レベルを変動させることが可能な出力制御装置を更に備える請求項２０に記載のＸ線装置。
【請求項２９】
前記単一の空間的にコンパクトな領域は、直径が数ミリメートルの小さいスポットからなる請求項２０に記載のＸ線装置。
【請求項３０】
単一の孔を更に備え、前記単一の孔は、少なくとも一部の前記単色放射Ｘ線が、前記少なくとも１つの第２ターゲットから放出された際、前記関心対象を照射するために前記単一の孔を通過するように配置される請求項２０に記載のＸ線装置。
【請求項３１】
前記単一の孔は、放出された際、前記関心対象を照射する前記単色放射Ｘ線のスポットサイズを低減し、前記少なくとも一つの画像の空間分解能を向上させる請求項３０に記載のＸ線装置。
【請求項３２】
前記単一の孔は、放出された際、前記関心対象に照射する前記単色放射Ｘ線の前記スポットサイズを低減するため、直径がほぼ０．５ミリメートルである請求項３１に記載のＸ線装置。
【請求項３３】
前記単一の孔は、単一のピンホール又はスリットである請求項３０に記載のＸ線装置。
【請求項３４】
単色放射Ｘ線は、少なくとも１つの３次元（３Ｄ）画像を少なくとも部分的に形成するため、前記関心対象の周りに複数の異なる視野角で放射され、かつ少なくとも１つの検出器で検出される請求項２０に記載のＸ線装置。
【請求項３５】
前記少なくとも１つの３Ｄ画像は、複数の２次元（２Ｄ）画像から形成される請求項３４に記載のＸ線装置。
【請求項３６】
前記少なくとも１つの３Ｄ画像は、前記関心対象の前記部分のコンピュータ断層（ＣＴ）画像である請求項３４に記載のＸ線装置。
【請求項３７】
前記複数の第２ターゲットの少なくとも１つは、広域放射線が照射されていることに反応して、前記関心対象に関連する吸収端を超えるエネルギー準位で単色放射Ｘ線を放出し、前記複数の第２ターゲットの少なくとも１つは、広域放射線が照射されていることに反応して、前記関心対象に関連する吸収端未満のエネルギー準位で単色放射Ｘ線を放出する請求項２３に記載のＸ線装置。
【請求項３８】
単色放射Ｘ線のみが前記関心対象を照射するように与えられるように、前記単色放射Ｘ線の少なくとも一部を方向付けるように構成された少なくとも１つの構成要素を更に備える請求項２０に記載のＸ線装置。
【発明の詳細な説明】
【背景技術】
【０００１】
従来の診断的Ｘ線撮影および癌治療は、診断および治療の間に、正常組織が不必要に晒される広域のエネルギー範囲にわたってＸ線を放出する、Ｘ線発生装置を使用する。線量を低減し、画像コントラストを改善する試みに特化した設定においては、単色放射線が使用されている。しかしながら、単色放射線を発生させるための従来のシステムは、法外なサイズ、コスト、および／または複雑性のために、臨床用途または商業用途には適さない場合がある。例えば、フィルターとして非効率的なブラッグ結晶を利用するか、または固体ターゲットＸ線蛍光体を使用して、単色放射線を発生させることは、非常に大きく、高価で、かつ強力な、広帯域シンクロトロン光源を必要とし、これは臨床設定に関しては実用的でないことが立証されている。
【０００２】
他の従来技術としては、ポリキャピラリ光学素子を使用して、従来の実験室Ｘ線発生装置からのスループットを増大させることが挙げられるが、依然として、単色化するためにはブラッグ結晶が使用される。一部の治療用途では、皮膚への線量を低減するために、高エネルギー線形電子加速器が使用される。しかしながら、エネルギー特異性に対する制御は、間接的かつ最低限である。単一の放射線ビームを使用して、特定のタイプまたは深さの組織を標的にすることは、一般に不可能であり、悪性または良性のいずれかである組織のタイプについて、放射線は無差別である。更には、今日の治療施設の、コスト、インフラスチラクチャ、および人員の要件は高く、社会の医療ニーズの一部さえも満たす可能性は低い。単色ガンマ線源を使用する小線源治療もまた、治療上の利益をもたらし得るが、ガンマ線のエネルギーおよび半減期は物理学の自然法則によって定められているため、放射性核種の適切な選択肢は限定される。
【発明の概要】
【発明の効果】
【０００３】
出願人は、広域スペクトル放射線を発生させるための標準的Ｘ線管を、蛍光ターゲットと組み合わせて、標的組織の画像化および放射線治療に好適な単色放射線を発生させることができることを理解している。本発明の態様を利用して、医療／臨床目的に好適で、病院などの既存の医療施設での使用に適した、単色放射Ｘ線を発生させるための、比較的低コストで、比較的占有面積の少ないＸ線装置を提供することができる。
【０００４】
一部の実施形態は、電子を照射されることに反応して広域スペクトル放射Ｘ線を放出する第１ターゲットを含むＸ線管から、広域スペクトル放射Ｘ線を発生させることと、この広域スペクトル放射Ｘ線の少なくとも一部を、照射に反応して単色放射Ｘ線を放出する材料を含む第２ターゲットに照射するように方向付けることと、単色放射Ｘ線の少なくとも一部を、標的組織に照射するように方向付けることとを含む、単色放射線を発生させる方法を含む。
【０００５】
一部の実施形態は、電子を発生させることが可能な電子源と、電子源からの電子を受け取るように配置構成され、電子を照射されることに反応して広域スペクトル放射Ｘ線を放出する材料を含む、少なくとも１つの第１ターゲットと、この広域スペクトル放射Ｘ線の少なくとも一部を受け取るように配置構成され、第１ターゲットからの広域スペクトル放射Ｘ線による照射に反応する材料を含む、少なくとも１つの第２ターゲットと、この少なくとも１つの第２ターゲットから放出される単色放射Ｘ線の少なくとも一部を検出するように配置される、少なくとも１つの検出器とを含む、Ｘ線装置を含む。
【図面の簡単な説明】
【０００６】
【図１】従来のＸ線管の概略図である。
【図２】電子（原子核よりも遙かに軽い）が原子核に非常に接近し、電磁相互作用によって軌跡の偏位が引き起こされ、電子がエネルギーを失い、Ｘ線光子が放出されるシナリオを示し、制動放射を最も単純な形態で説明する。
【図３】ターゲットから逃れようとする低エネルギーＸ線が吸収されて、低エネルギーでのスペクトルの特徴的なロールオーバーを引き起こす、典型的なＸ線管によって作り出される制動放射スペクトルを示す。
【図４】特徴的な輝線放射を発生させる物理現象を示す。
【図５】厚肉ターゲット制動放射および特徴的なモリブデン輝線放射を示す、モリブデン陽極を備えるＸ線管からの結合スペクトルを示す。
【図６Ａ】光電効果を示す。
【図６Ｂ】Ｋ殻からのＸ線蛍光の原理を示す。
【図７】銅の陽極を備えるＸ線管によって発生した銅Ｘ線を、アルミニウム（Ａｌ）のターゲットに照射することによって作られた、Ｘ線蛍光スペクトルを示す。
【図８】ジルコニウムに関する、Ｘ線エネルギーの関数としての吸収係数を示し、不連続な急上昇または稜線は、ジルコニウム中の電子の結合エネルギーをかろうじて超えたところで、吸収が強化される様子を示す。
【図９】本発明の一部の実施形態による、単色Ｘ線システムを示す。
【図１０】本発明の一部の実施形態による、選択された造影剤に同調された上述の単色Ｘ線装置を使用する画像化の方法を示す、フローチャートである。
【図１１】本発明の一部の実施形態による、上述の単色Ｘ線装置を使用する放射線治療の方法を示す、フローチャートである。
【図１２】臭化カリウム（ＫＢｒ）に関する質量吸収係数を示す。
【図１３Ａ】ロジウム陽極を備える従来のＸ線管によって発生する厚肉ターゲット制動放射スペクトルを示す。
【図１３Ｂ】図１３Ａの広帯域スペクトルを使用して、Ｘ線蛍光によって作り出される、ＺｒＫαＸ線およびＺｒＫβＸ線を示す。
【図１４Ａ】制動放射スペクトルを使用するＫＢｒファントムの２−Ｄ等高線プロット（上）、および本発明の実施形態による、単色のＺｒＫＸ線を使用するＫＢｒファントムの２−Ｄ等高線プロットを、それぞれ示す。
【図１４Ｂ】制動放射スペクトルを使用するＫＢｒファントムのＸ線強度の３−Ｄプロット（上）、および本発明の一部の実施形態による、単色のＺｒＫＸ線を使用するＫＢｒファントムのＸ線強度の３−Ｄプロットを、それぞれ示す。
【発明を実施するための形態】
【０００７】
上述のように、診断画像を作り出し、かつ／または放射線治療を実施するために、単色放射線を発生させることが可能な従来のＸ線システムは、そのようなシステムの製造、操作、および維持の、法外な高コスト、ならびに／あるいは臨床使用のためには遙かに大きすぎるシステム占有面積のために、臨床的および／または商業的な使用に関して、一般に好適ではない。結果として、そのような従来のシステムは、大きく、複雑で、高価な設備に投資している、比較的少数の研究施設での、それらの研究施設による調査への適用に限定される。病院および診療所などの医療施設は、診断／治療目的のための臨床設定で採用可能な単色Ｘ線機器に関しては、実行可能な選択肢を欠いたままである。
【０００８】
出願人は、癌性腫瘍を効率的に診断して処置することができる、調整可能な単色放射Ｘ線を作り出すための、単純で、低コストの、テーブルトップの方法および装置を開発した。一部の実施形態によれば、広域のエネルギー範囲にわたってＸ線を発生させる従来のＸ線管を使用して、固体ターゲットに照射すると、次に固体ターゲットが、単色蛍光Ｘ線を放出する。この蛍光ターゲットは、単一の元素から作製してもよく、またはいくつかの元素の複合体であってもよい。これらの蛍光Ｘ線のエネルギーは、ターゲット材料の元素組成に固有のものである。単一元素から作製されるターゲットは、その蛍光Ｘ線のエネルギーが、癌性腫瘍などの特定の組織部位に送達されている造影剤中の主要元素の吸収端をかろうじて超えるように、選択することができる。
【０００９】
この意味で、ターゲットからの蛍光Ｘ線の放出は、造影剤の吸収特性に同調される。すなわち、蛍光ターゲットは、造影剤に適合する材料を含む。造影剤は、臭素、ヨウ素、ガドリニウム、銀、金、プラチナ、３５を超える原子番号を有する他の元素のうちの、任意の１つまたは組み合わせなどの、任意の好適な造影剤、あるいは任意の他の好適な造影剤とすることができる。造影剤は、Ｘ線造影剤、磁気共鳴造影剤、放射性薬剤、放射線治療剤、甲状腺関連剤、防腐剤、消毒剤、去痰剤、抗アメーバ剤、抗ウイルス剤、抗不整脈剤、抗新生物剤などの、造影剤のクラスのうちの少なくとも１つに属し得る。
【００１０】
このような技術は、周囲組織と比較した造影剤中のＸ線吸収を強化し、これによって画像コントラストを改善するばかりではなく、診断放射線量を３桁分までも低下させる。一部の実施形態によれば、造影剤の吸収端の上下のエネルギーを有する蛍光Ｘ線を放出する、多元素ターゲットを選択することができる。吸収端の上下で同時に得られる吸収の差異によって、画像コントラストを更に改善することができる。従来のＸ線管の出力を、治療用途のために増大させることによって、本明細書に記載される標的能力技術は、腫瘍部位または造影剤が配置されるあらゆる場所での吸収効率を増大させ、一方で他の場所での放射線曝露を最小限に抑える。
【００１１】
一部の実施形態によれば、入射電子ビームに反応して広域スペクトル放射線を作り出すターゲットの後に、入射広域スペクトル放射線に反応して単色放射Ｘ線を作り出す蛍光ターゲットを、少なくとも部分的に、連続させて組み合わせることによって、単色Ｘ線デバイスが提供される。用語「広域スペクトル放射線」は、陽極材料の特徴的な輝線の有無に関わらず、制動放射線を説明するために本明細書で使用される。そのようなデバイスの動作原理を、以下で更に詳細に説明する。
【００１２】
厚肉ターゲット制動放射
【００１３】
図１に概略的に示すように、Ｘ線管内で、電子は、陰極と呼ばれる加熱フィラメントから解放され、陽極と呼ばれる金属ターゲットに向かって、高電圧（例えば、〜５０ｋＶ）によって加速される。この高エネルギー電子は、陽極内の原子と相互作用する。多くの場合、エネルギーＥ1を有する電子は、ターゲット内の原子核に接近し、その軌跡は、電磁相互作用によって変更される。この偏向のプロセスで、電子は原子核に向かって減速する。電子は、エネルギーＥ2まで減速する際に、エネルギーＥ2−Ｅ1を有するＸ線光子を放出する。この放射線は制動放射線と呼ばれ、その運動学を図２に示す。
【００１４】
放出された光子のエネルギーは、入射電子の最大エネルギーＥmaxまでの、いずれかの値を取り得る。電子は破壊されないため、電子は、そのエネルギーの全てを失うか、または陽極内の原子と結合するまで、複数の相互作用を受けることができる。初期の相互作用は、小さなエネルギー変化から大きなエネルギー変化まで、原子核への実際の角度および近接性に応じて様々である。結果として、制動放射線は、図３に示すように、概して連続的なスペクトルを有することになる。制動放射生成の確率は、Ｚ2に比例し、ここでＺは、ターゲット材料の原子番号であり、生成の効率は、ＺおよびＸ線管の電圧に比例する。低エネルギーの制動放射Ｘ線は、以下で更に詳細に説明するように、内部深くから逃れようとする際に厚肉ターゲットの陽極によって吸収され、最低エネルギーでの強度曲線の折れ曲がりを引き起こすことに留意されたい。
【００１５】
特徴的な輝線放射
【００１６】
殆どの電子が減速し、その軌跡が変更される一方で、一部は、標的原子内の原子核を取り囲む、対応する軌道すなわち殻内に、エネルギーＢＥによって束縛されている電子と衝突する。図４に示すように、これらの殻は、Ｋ、Ｌ、Ｍ、Ｎなどによって示される。入来電子と束縛電子との衝突において、入来電子のエネルギーが、軌道周回電子のＢＥよりも大きい場合には、束縛電子は原子から排除される。例えば、図４に示すエネルギーＥ＞ＢＥkを有する衝撃電子は、Ｋ殻の電子を排除して、Ｋ殻内には空孔が残される。結果として生じる、励起してイオン化した原子は、外側の軌道内の電子が空孔を満たすと、脱励起する。この脱励起の間に、脱励起に関与する電子の最初のエネルギー準位と最終のエネルギー準位との差異に等しいエネルギーを有して、Ｘ線が放出される。軌道となる殻のエネルギー準位は、周期表上の各元素に固有であるため、このＸ線のエネルギーによって、元素が識別される。このエネルギーは単一性であり、スペクトルは広域連続帯ではなく、単色で表れる。ここで、単色とは、輝線のエネルギーの幅が、関与する原子遷移に伴う自然の輝線幅に等しいことを意味する。銅ＫαＸ線に関しては、自然の輝線幅は約４ｅＶである。ＺｒＫα、ＭｏＫα、およびＰｔＫαに関しては、輝線幅はそれぞれ、約５．７ｅＶ、約６．８ｅＶ、約６０ｅＶである。陽極としてモリブデンターゲットを備えるＸ線管からの完全スペクトルを、図５に示す。モリブデンの原子エネルギー準位に固有の、特徴的な輝線が、厚肉ターゲット制動放射の上に重ね合わさって示されている。
【００１７】
Ｘ線吸収およびＸ線蛍光
【００１８】
Ｘ線管からのＸ線が、サンプルに打ち当たると、Ｘ線は、原子によって吸収されるか、または材料を通過して散乱するかのいずれかであり得る。Ｘ線が、図６Ａで示すように、そのエネルギーの全てを最も内側の電子に転移させることによって原子に吸収されるプロセスは、光電効果と呼ばれる。これは、入射Ｘ線が、衝突の際に遭遇する軌道電子の束縛エネルギーよりも大きいエネルギーを有する場合に発生する。この相互作用では、光子は、そのエネルギーの全てを軌道電子に付与して、存在が消滅する。Ｘ線のエネルギーの殆どが、軌道電子の束縛エネルギーに打ち克つために必要とされ、残余のエネルギーは、電子を排除した上でその電子に付与され、殻内には空孔が残される。排除された自由電子は、光電子と呼ばれる。光電相互作用は、入射光子のエネルギーが、打ち当たる電子の束縛エネルギーを超過するものの、比較的その束縛エネルギーに近い場合に、最も発生しやすい。例として、光電相互作用は、２３．２ｋｅＶの束縛エネルギーを有するＫ殻の電子に関しては、入射光子が５０ｋｅＶである場合よりも、２５ｋｅＶである場合に、より発生しやすい。これは、光電効果が、Ｘ線のエネルギーのほぼ３乗に反比例するためである。
【００１９】
原子の内側殻内の空孔は、その原子に関して不安定条件を提示する。原子が安定条件に戻る際に、外側の殻からの電子が内側の殻に転移し、このプロセスで、上記の「特徴的な輝線放射」のセクションで説明したように、対応する殻の２つの束縛エネルギー間の差異であるエネルギーを有する、特徴的なＸ線を放出する。この光子誘導のＸ線放出プロセスは、Ｘ線蛍光、またはＸＲＦと呼ばれる。図６Ｂは、Ｋ殻からのＸ線蛍光を概略的に示し、アルミニウムのサンプルからの典型的なＸ線蛍光スペクトルを、図７に示す。特徴的なＸ線は、最初の空孔が生じた殻を示すＫで標識される。更に、アルファ（α）およびベータ（β）を使用して、より高位の殻からの電子の遷移によって生じるＸ線を識別する。それゆえ、ＫαＸ線は、Ｌ殻からＫ殻への電子の遷移によって作り出され、ＫβＸ線は、Ｍ殻からＫ殻への電子の遷移によって作り出され、以下同様である。これらの単一エネルギー性の輝線は、広帯域の連続的放射線のバックグラウンドの上に存在するものではなく、むしろ、そのスペクトルは、制動放射を含んでいないという点に留意することが重要である。上述のように、Ｘ線管は、厚肉ターゲット制動放射、および陽極内の銅からの特徴的なＸ線を作り出す。しかし、Ｘ線管からの結合スペクトルの放出を使用して、アルミニウムのサンプルに照射する場合、Ｘ線蛍光を介して、単一エネルギー性の輝線、すなわちＡｌＫαおよびＡｌＫβのみが作り出される。
【００２０】
上述のように、所定の吸収元素に関するＸ線吸収の確率は、入射光子のエネルギーの増大と共に低下する。しかしながら、この減少は、Ｘ線のエネルギーが、吸収体内の電子殻（Ｋ、Ｌ、Ｍなど）の束縛エネルギーに等しい場合の、急激な上昇によって中断される。これは、特定の殻内に空孔を生み出すことが可能な最低のエネルギーであって、端と称される。図８は、Ｘ線のエネルギーの関数としてのジルコニウムの吸収を示す。この吸収は、その質量減衰係数によって、縦座標軸上に定義される。Ｌ軌道およびＫ軌道の束縛エネルギーに対応する吸収端は、それぞれ約２．３ｋｅＶおよび約１８ｋｅＶでの不連続な急上昇によって示される。周期表上のあらゆる元素は、Ｘ線のエネルギーの関数としての、その元素の吸収を説明する、同様の曲線を有する。
【００２１】
以下は、本発明による方法および装置に関する、様々な概念ならびにそれらの実施形態の、より詳細な説明である。本明細書で説明する本発明の様々な態様を、数々の方法のうちのいずれかで実装し得ることを理解されたい。具体的な実装の実施例は、例示的な目的のみのために本明細書で提供される。更には、以下の実施形態で説明する本発明の様々な態様は、単独で、または任意の組み合わせで使用することができ、本明細書で明示的に説明する組み合わせに限定されるものではない。
【００２２】
図９は、本発明の一部の実施形態による、単色Ｘ線を発生させるためのＸ線装置の概略図を示す。Ｘ線管１は、フィラメント（ｂ）（陰極として動作する）を電圧（ｃ）（典型的には５〜６ボルト）でオーム加熱することにより、フィラメントが電子（ｄ）を放出することによって、厚肉ターゲット制動放射線を発生させる。この電子は、フィラメント（典型的には、ゼロ電位、すなわち接地電位である）に対する陽極の高電圧バイアス（ｆ）のために、陽極（ｅ）に向かって加速される。電子は、陽極によって減速される際に、図３に示すように制動放射線を発生させ、また多大な量のオーム出力が、陽極によって熱の形態で放散される。この熱は、陽極材料から真空エンクロージャーの外部に伝導させることができる。陽極材料に固有の特徴的な輝線もまた、電圧電位が十分に大きければ、陽極材料の電子衝撃によって作り出すことができる。この放射Ｘ線は、Ｘ線を高効率で透過させることができる真空気密のウィンドウ（ｇ）（例えば、ベリリウム）を通過して、真空エンクロージャーから射出される。
【００２３】
Ｘ線管１は、広域スペクトル放射線を発生させるための、標準的なＸ線管であってもよいことを理解されたい。例えば、このＸ線管は、医療用途で現行使用されている従来のＸ線管と類似のもの、または同じものとすることができる。したがって、本明細書で説明するＸ線装置の実施形態の一部は、比較的低コストの、テーブルトップの解決案として製造することが可能である。結果として、そのようなＸ線装置は、以下で更に詳細に説明するように、単色Ｘ線の診断用途および／または治療用途を実行するための、病院などの医療施設による、広範な採用に適するものとすることができる。
【００２４】
Ｘ線管から放出されたＸ線ビーム２を、ターゲットへ入射するＸ線に反応して、ターゲット内の元素に特有の単色Ｘ線を作り出す、蛍光ターゲット３に照射する。この単色Ｘ線４は、拡散してコリメータ（例えば、ピンホールまたはスリット５）を通過し、サンプル６（例えば、以下で更に詳細に説明するような、画像化されるかまたは処置される標的組織）を通過する。他の構成要素を使用して、Ｘ線をコリメートし、ペンシルビーム、ファンビーム、または任意の他の形状のビームを形成してもよく、本発明の態様は、この点において限定されない。Ｘ線管、蛍光ターゲット、およびコリメータは、本明細書では、単色Ｘ線源と総称される。透過したＸ線は、Ｘ線検出器７によって検出され、サンプルの画像を作り出す。
【００２５】
例えば、単色Ｘ線は、サンプルの２Ｄ断面を貫通し、最終的に断面の２Ｄ画像（「スライス」）を作り出すことができる。３Ｄ画像が所望される場合には、サンプルをステージ８上で回転させながら、連続的に２Ｄ画像を取得することができる。回転が完了すると、３ＤＣＴ画像が再構築される。あるいは、Ｘ線源をサンプルの周囲で回転させて、サンプルの３Ｄ画像を得てもよい。他のメカニズムを使用して、Ｘ線源とサンプルとの相対的回転を作動させ、多数の投影角からのＸ線減衰データを得ることができ、本発明の態様は、この点において限定されない。一部の構成では、減衰データを得るために、Ｘ線源と協調させて検出器を回転させることが必要となることを理解されたい。
【００２６】
出願人は、蛍光ターゲットによって発生する単色線のエネルギーよりも大きいエネルギーを有する特徴的な輝線を発生させる材料を、Ｘ線管内の陽極のために選択することが有益であることを理解している。これは、蛍光ターゲットからのＸ線の収率を向上させるが、本発明の実施形態についての要件ではない。スリットまたはピンホールの視界がサンプル全体を包囲し得ない一部の実施形態によれば、サンプルを、Ｘ線ビームから検出器までの照準線とは垂直の方向に移動させて、前述の画像化手順を繰り返すことができる。
【００２７】
一部の実施形態によれば、１つ以上のＸ線レンズを使用して、より効率的に、陽極から放出される広域スペクトル放射Ｘ線を収集し、蛍光ターゲット上の比較的小さいスポット上に放射線を集束させることができる。例えば、ガラスキャピラリ光学素子を、陽極と蛍光ターゲットとの間に配置して、放射Ｘ線を収集し、集束させることができる。１つ以上のレンズを使用することで、蛍光ターゲットとサンプルとの間の、ピンホールまたは他のコリメータに対する必要性を取り除くことができる。この光学素子は、Ｘ線管によって放出されるＸ線を、より大量に収集するため、Ｘ線管の出力を低減することができる。Ｘ線管の出力の低減によって、この装置を、水冷式ではなく空冷式とすることが可能になり、このＸ線装置の複雑性およびコストを更に低減することができる。１つ以上のレンズは、単独で、または陽極と蛍光ターゲットとの間に配置構成した光学素子と組み合わせて、蛍光ターゲットとサンプルとの間に配置し、単色Ｘ線を集束させ得ることを理解されたい。
【００２８】
一部の実施形態によれば、図９のＸ線装置は、パルス単色放射Ｘ線を発生させることが可能である。パルス放射Ｘ線は、結果として得られる画像内の、放射線曝露の間の人間被験者の動きによるモーションアーチファクトの低減および／または除去に有利な場合がある。例えば、連続Ｘ線放射を使用して、鼓動する心臓を画像化することは、心周期の間の異なる時間において、心臓は異なる位置／構成状態にあるため、結果として得られる画像内に、ぶれを生じさせる恐れがある。Ｘ線源をパルス化することにより、心周期の間のほぼ同時点で画像化が実行されるようにＸ線放射を心周期に同期させて、動きのぶれを低減させ、かつ／または除去することができる。そのような技術を使用して、心周期の任意の部分を画像化し得ることを理解されたい。更には、被験者の呼吸が、同様のモーションアーチファクトを生じさせる場合があり、既定の曝露スケジュールに従ってＸ線源をパルス化することによって、被験者の呼吸によって生じる動きを相殺することができる（例えば、呼吸周期のほぼ同時点の間に、画像化を実行することができる）。放射線のパルス化は、被験者の動きの他の原因と同期させてもよく、本発明の態様は、この点において限定されないことを理解されたい。
【００２９】
一部の実施形態によれば、Ｘ線のパルス化は、Ｘ線管の内部で実行される。例えば、タイミング回路を実装して、陰極（例えば、フィラメント）から陽極（ターゲット）までの電子流を発生させる回路を、電子的に開閉することができる。このタイミング回路は、任意の所望のタイミングシーケンスに従って回路を開閉するように構成することができる。例えば、タイミング回路は、プログラムされたタイミングシーケンスに従って回路を開閉するクロックを有するマイクロコンピュータを使用して、制御することができ、このマイクロコンピュータは、任意の所望のタイミングシーケンス、または任意数の所望のタイミングシーケンスに従って、パルス放射Ｘ線を発生させるようにプログラムすることができる。
【００３０】
一部の実施形態によれば、Ｘ線のパルス化は、放射Ｘ線自体に対して実行される。例えば、第１ターゲットから放出される広域スペクトル放射線、および／または蛍光ターゲットから放出される単色放射線のいずれかを、交互に遮断し、通過させるように、チョッパー（例えば、回転チョッパー）を配置して、所望のタイミングシーケンスに従った、パルス放射を達成することができる。２重のチョッパーを実装して、広域スペクトル放射線および単色放射線の双方を、交互に遮断し、通過させて、所望のタイミングシーケンス、または任意数の所望のタイミングシーケンスで、パルス放射を達成することができる。パルス放射Ｘ線を発生させる他の方法を使用してもよく、本発明の態様は、この点において限定されないことを理解されたい。電子ビームを電子的にパルス化するための技術を、放射Ｘ線を遮断／通過させるための技術と組み合わせてもよく、本発明の態様は、パルス放射線を発生させるための技術の、いずれのタイプまたは組み合わせでの使用に関しては、限定されないことを理解されたい。
【００３１】
従来は、上述のような単色Ｘ線装置は、満足な画像を生成することは不可能であり、かつ／または放射線治療の実行には適さないと考えられていた。出願人は、以下で更に詳細に論じるように、そのような装置を、診断目的および治療目的のために使用することの予期せぬ有効性を、理解し、実証している。一部の実施形態によれば、本明細書で説明するＸ線装置を使用して、標的組織を画像化する。一部の実施形態によれば、この画像化された組織を使用して、生物学的異常（例えば、腫瘍）を検出することができ、かつ／または処置のために生物学的異常を位置決めすることができる。一部の実施形態によれば、本明細書で説明するＸ線装置を増大した出力レベルで使用して、位置決めされた生物学的異常を処置する（例えば、先行の画像化手順の間に位置決めされた標的組織を破壊する）。そのような技術の実施例を、以下で更に詳細に説明する。
【００３２】
図１０は、本発明の一部の実施形態による、選択された造影剤に同調された上述の単色Ｘ線装置を使用して、標的組織を画像化する方法を示す、フローチャートである。方法１０００は、所望により２Ｄおよび３Ｄで画像化するために使用することができる。行為１０１０では、被験組織内に注入するための造影剤を選択する。次に造影剤中の主要元素を識別し、造影剤の主要元素における吸収端エネルギーよりもかろうじて高いエネルギーを有する単色Ｘ線を発生させる蛍光ターゲット材料を選択することができる（行為１０２０、１０３０）。方法１０００は、造影剤と関連付けて説明されるが、本方法は造影剤を使用することなく実行できることを理解されたい。そのような状況では、蛍光ターゲットは、任意の好適なエネルギー準位で単色放射線を発生させる材料を含み得る。
【００３３】
蛍光ターゲットから放出される特徴的なＸ線のエネルギーは、原子番号と共に増大する。したがって、造影剤を使用している場合、蛍光ターゲットは、造影剤の吸収端エネルギーを超える特徴的なＸ線を発生させる、周期表内の元素を含むように選択することができる。例えば、所定の造影剤中の主要元素がヨウ素（原子番号５３を有する）である場合、ヨウ素のＫ吸収端のエネルギーは、３３．２４ｋｅＶである。３３．２４ｋｅＶよりも大きい特徴的なＸ線エネルギーを有する、周期表内の次の元素は、原子番号５７を有するランタンである。ランタンのＫＸ線は、ヨウ素の吸収端より０．１６ｋｅＶ上回る、３３．４ｋｅＶのエネルギーを有する。造影剤中の主要元素の吸収端を超えるエネルギーを有するＸ線を作り出す、周期表内の次の元素を選択することが有効であり得るが、そのような元素が、あらゆる造影剤に関して実用的であるという可能性はない。したがって、造影剤を使用する場合、造影剤の主要元素の吸収端を超えるＸ線を作り出す任意の元素を使用することができ、本発明の態様は、この点において限定されない。
【００３４】
広域スペクトル放射線を作り出す従来のＸ線管を使用して、蛍光ターゲットに照射することができる（行為１０４０）。例えば、Ｘ線管内の陰極と陽極との間の高電圧を、所望の蛍光Ｘ線のエネルギーの、少なくとも３〜５倍のエネルギーを有する広域スペクトル放射線を作り出す値に調節することができる。一部の実施形態では、この広域スペクトル放射線は、制動放射線に加えて、陽極材料からの特徴的な輝線放射を含む。入射広域スペクトル放射線に反応して、単色Ｘ線が、蛍光ターゲットから発生する（行為１０５０）。この単色Ｘ線は、標的組織に照射するように方向付けることができる（行為１０６０）。蛍光ターゲット上のスポットのサイズは、通常は直径が数ミリメートルであるため、ピンホールを使用して、より小直径のスポットから発生するＸ線源を確立し、画像における空間分解能を向上させることができる。このＸ線点源は、円錐形状に拡散する。これらのＸ線は、サンプル組織を通過して、２Ｄ画像化Ｘ線検出器によって検出される（１０７０）。
【００３５】
次に、検出器によって取得された減衰データを使用して、標的組織の２Ｄ画像を再構築することができる（行為１０８０）。３ＤＣＴスキャンが所望される場合には、前述の技術のいずれかを使用して、標的組織の周囲の、種々の投影角または視野角で、連続的２Ｄ画像を取得することができる（例えば、Ｘ線放出と検出器との間の照準線に垂直な軸を中心とする種々の角度で、行為１０４０〜行為１０８０を繰り返すことができる）。方法１０００は、連続Ｘ線生成、または任意の所望のタイミングシーケンスに従ったパルスＸ線生成のいずれかを使用して実行できることを理解されたい。
【００３６】
一部の実施形態によれば、ピンホールを、スリット（または任意の他のコリメータ）に置き換えることができる。結果として得られるＸ線放出は、細いファンビームの形態を取る。Ｘ線ビームから検出器までの照準線に垂直な軸を中心として、組織を回転させ、３ＤＣＴ画像を作り出すことができる。次に、近接する組織の別の３ＤＣＴ画像を得るために、組織サンプルを前述の垂直軸に沿って移動させることができる。
【００３７】
一部の実施形態によれば、造影剤が必要とされない場合がある。単色Ｘ線は、広帯域Ｘ線よりも高い画像コントラストを作り出すため、より稠密な組織中に選択的に吸収されるエネルギーを有するＸ線を発生させる蛍光ターゲットを選択することで十分な場合がある。
【００３８】
図１１は、本発明の一部の実施形態による、上述の単色Ｘ線装置を使用する放射線治療の方法を示す、フローチャートである。方法１１００を使用して、例えば、癌性腫瘍を処置することができる（例えば、悪性組織に照射して、腫瘍を破壊することによる）。最初に、図１０に関連して説明した方法を実行して、標的組織の２Ｄまたは３ＤのＸ線画像を作り出すことができる（例えば、行為１０１０〜行為１０８０を実行することができ、所望により行為１０４０〜行為１０８０を繰り返すことができる）。この手順は、画像化に適する比較的低い出力でＸ線管を動作させて、実行することができる。この手順は、治療が開始される直前に実行してもよく、または先行の画像診断の間に発見された腫瘍の位置を確認するための、反復手順として実行してもよい。
【００３９】
標的組織を画像化した後、関心領域を位置決めする（例えば、画像化手順を介して、腫瘍が位置決めされる）（行為１１８５）。Ｘ線装置が、関心領域を標的とするように配置構成され（行為１１９０）、Ｘ線管の出力を、画像化に必要な比較的低いレベルを超えて増大させ、関心領域に照射することができる（行為１１９５）。高エネルギー単色Ｘ線の吸収は、腫瘍内に局在する造影剤によって増強される。例えば、造影剤が金を含む場合には、Ｋ殻のイオン化エネルギーは、約８０ｋｅＶである。これらの光子の減衰長は約２０ｃｍであるため、ＫＸ線は診断としての働きをするだけではなく、Ｋ放射線が腫瘍内の造影剤中の原子を励起することから、この処置の効果を高めることになる。高Ｚ原子が脱励起する際に発生し、結果として生じるＬ殻の蛍光放射は、約１ｃｍの短い減衰長を有するため、これらのＬＸ線（Ａｕでは９．７ｋｅＶ）は、組織を破壊する働きをする。腫瘍のサイズに応じて、腫瘍を包囲するための、より大きなピンホールが必要とされる場合があり、または腫瘍を完全に破壊するために、組織（またはＸ線源）を移動させるか、もしくは回転させることが必要な場合がある。
【００４０】
したがって、本発明の様々な態様により、画像化および／または放射線治療に好適な単色放射線を発生させるための、比較的低コストで、比較的小さい占有面積のＸ線装置が可能になる。そのような装置は、臨床用／医療用の、Ｘ線診断／治療用途に関して、現在は入手不可能である。診療所および病院などの医療施設は、広域スペクトル放射線を放出するＸ線装置を使用して、そのような診断／治療用途を現在実行しているが、これは、画質、患者放射線量、付帯的組織損傷などに関して、多くの欠点を有している。
【００４１】
一部の実施形態によれば、従来の、テーブルトップのＸ線管を使用して、ジルコニウム（Ｚｒ）の厚肉ターゲットに照射する。Ｚｒは、蛍光ＫαＸ線および蛍光ＫβＸ線を、それぞれ１５．７７ｋｅＶおよび１７．６７ｋｅＶで放出する。これらのＸ線は、直径０．５ｍｍのピンホールを通過し、次に被験サンプルを通過する。２Ｄ画像がＸ線検出器で作成される。サンプルは、拡散ビームに直交する軸を中心として回転させることができる。これによって、ＣＴ画像を得ることができる（図示せず）。この実証実験で使用したサンプルは、ファントム、すなわち生体組織をシミュレートするように製作された複合材料であった。このサンプルは、生体組織内の造影剤を模倣するために、臭化カリウム（ＫＢｒ）の局所的濃縮を含んでいた。ブロモデオキシウリジン（ＢｕｄＲ）の形態の臭素は、この実証実験のための関連選択肢であり、腫瘍細胞内に局在することから、造影剤として一般に使用される。単色ＺｒＸ線のエネルギーは、臭素吸収端のエネルギーをかろうじて超えるものであり、結果的に、周囲の材料よりも高効率で吸収される（例えば、図１２では、垂直の点線は、それぞれＺｒＫαおよびＺｒＫβのＸ線の輝線のエネルギーに位置している。これらのエネルギーは、Ｋ吸収端のかろうじて上である。Ｋαの輝線の強度が優位である）。
【００４２】
従来のＸ線管は、図１３Ａに示すように、厚肉ターゲット広帯域制動放射スペクトルを発生させる。このＸ線管はロジウム陽極を有し、スペクトル中の２つのピークは、Ｘ線管内の電子励起から生じる、ロジウムＫαおよびロジウムＫβの輝線放射である。図１３Ｂにおけるスペクトルは、広域スペクトル放射線のＸ線をＺｒターゲットに照射する場合に、蛍光を介して作り出される、単色のＺｒＫαおよびＺｒＫβのＸ線を示す。広域スペクトル放射線で作成されたＸ線画像に関する、画質および総吸収線量を、単色スペクトルで作成された画像と比較する。散乱Ｘ線によって示される輝線は、検出器のアーチファクトであって、蛍光ターゲットからの放射線が多色性であることを示すものではなく、この放射線は単色性であることを理解されたい。
【００４３】
これらの結果を図１４Ａおよび図１４Ｂに示す。図１４Ａの上部分の、Ｘ線強度の２Ｄ等高線プロット、および図１４Ｂの上部分の、Ｘ線強度の３Ｄプロットは、広帯域スペクトルを使用して作成された。これを達成するために、Ｚｒターゲットをビームラインから取り除き、ピンホール、サンプル、およびＸ線検出器の組み合わせを、Ｘ線管への照準線内に直接配置した。これらの構成要素を、単色Ｘ線の測定のために、元の位置に戻した。単色放射線を使用して作成された、Ｘ線強度の２Ｄ等高線プロットおよびＸ線強度の３Ｄプロットを、それぞれ図１４Ａおよび図１４Ｂの下部分に示す。これらの図は、コントラストが、単色性の画像でより良好であることを明確に実証している。更には、単色放射線を使用すると、サンプルへの吸収線量は１０００倍低い。
【００４４】
近年のナノバイオテクノロジーの進歩と組み合わせると、このテーブルトップの蛍光技術は、原子物理学の限界点まで単色性である放射Ｘ線を、単純かつ効率的に使用するため、その影響は多大なものとなる。初期の検出に関しては、この画像診断技術は、従来方法よりも、低い身体線量で、高い感度および高い特定性を達成することができる。治療に関しては、正常組織への線量もまた、顕著に低減される。こうした全てが、低コストかつ１つにまとめられ、典型的な医院または研究室に適合することができる。
【００４５】
本発明の上述の実施形態は、数々の方法のうちのいずれかで実装することができ、本明細書で説明される実施例が限定するものではない。更に、本発明の様々な態様は、単独で、組み合わせて、または前述の実施形態では具体的に論じられていない様々な配置構成で使用することができ、それゆえ、その適用においては、前述の説明に記載されるか、もしくは図面に示された構成要素の詳細および配置構成に限定されない。
【００４６】
特許請求の範囲での、特許請求要素を修飾する「第１」、「第２」、「第３」などの序数用語の使用は、それ自体では、１つの特許請求要素の、別の要素に対する、いかなる優先度、序列、または順位を意味することも、あるいは方法の行為が実行される時間的順序を意味することもなく、特定の名称を有する１つの特許請求要素を、同一の名称を有する別の要素（序数用語が使用されていない場合）から区別するための指標として単に使用され、特許請求要素を区別するものである。
【００４７】
また、本明細書で使用する表現および用語法は、説明目的のためであって、限定するものとして見なすべきではない。「含む」、「備える」、または「有する」、「含有する」、「伴う」、ならびにそれらの変形の、本明細書での使用は、それ以降に記載する項目、およびその等価物、ならびに追加的項目を包含することを目的とする。
【図１】
2016000313.tif 000003
【図２】
2016000313.tif 000004
【図３】
2016000313.tif 000005
【図４】
2016000313.tif 000006
【図５】
2016000313.tif 000007
【図６Ａ】
2016000313.tif 000008
【図６Ｂ】
2016000313.tif 000009
【図７】
2016000313.tif 000010
【図８】
2016000313.tif 000011
【図９】
2016000313.tif 000012
【図１０】
2016000313.tif 000013
【図１１】
2016000313.tif 000014
【図１２】
2016000313.tif 000015
【図１３Ａ】
2016000313.tif 000016
【図１３Ｂ】
2016000313.tif 000017
【図１４Ａ】
2016000313.tif 000018
【図１４Ｂ】
2016000313.tif 000019